【手続補正書】
【提出日】平成16年4月20日(2004.4.20)
【手続補正１】
【補正対象書類名】明細書
【補正対象項目名】発明の名称
【補正方法】変更
【補正の内容】
【発明の名称】記録再生装置、記録管理方法、記録媒体、並びにプログラム
【手続補正２】
【補正対象書類名】明細書
【補正対象項目名】特許請求の範囲
【補正方法】変更
【補正の内容】
【特許請求の範囲】
【請求項１】
入力されたコンテンツデータを記録媒体に記録し、また記録媒体からコンテンツデータを再生することのできる記録再生手段と、
上記記録媒体に記録したコンテンツデータについて、記録実行日時からの経過時間とコンテンツデータのジャンルに応じて加齢処理された値としてのコンテンツ年齢を管理するコンテンツ状態管理手段と、
上記記録媒体に記録したコンテンツデータについて、上記コンテンツ状態管理手段に管理される上記コンテンツ年齢を参照して、上記コンテンツ年齢の高いコンテンツデータを優先して自動的に上記記録媒体からの削除を行う自動削除制御手段と、
を備えたことを特徴とする記録再生装置。
【請求項２】
上記自動削除制御手段は、上記記録媒体の記録可能な残り容量と、上記記録媒体に記録しようとするコンテンツデータに必要な容量に基づいて、上記コンテンツ年齢の高いコンテンツデータを優先した削除を行うことを特徴とする請求項１に記載の記録再生装置。
【請求項３】
上記コンテンツ状態管理手段は、上記記録媒体に記録したコンテンツデータについて、削除禁止管理を行うことができるようにされ、
上記自動削除制御手段は、上記コンテンツ状態管理手段において削除禁止管理されたコンテンツデータを除いて、上記コンテンツ年齢の高いコンテンツデータを優先した削除を行うことを特徴とする請求項１に記載の記録再生装置。
【請求項４】
上記コンテンツ状態管理手段は、上記記録媒体に記録したコンテンツデータのうちで、削除禁止を指示する操作入力がなされたコンテンツデータを、削除禁止として管理することを特徴とする請求項３に記載の記録再生装置。
【請求項５】
上記コンテンツデータの削除禁止管理を行う際、削除禁止管理できるコンテンツデータの総量の上限値を設けることを特徴とする請求項３に記載の記録再生装置。
【請求項６】
上記削除禁止管理するコンテンツデータの総量が上記上限値を超えると判断された場合には、削除禁止管理不能であることを通知することを特徴とする請求項５に記載の記録再生装置。
【請求項７】
上記削除禁止管理できるコンテンツデータの総量の上限値は、予め設定、もしくは任意に設定できることを特徴とする請求項５に記載の記録再生装置。
【請求項８】
上記記録媒体に記録したコンテンツデータのうちで、上記コンテンツ状態管理手段に管理される上記コンテンツ年齢に基づいて自動削除が予定されるコンテンツデータを選別し、選別されたコンテンツデータについて自動削除が予定されていることを告知する内容を含む表示データを出力する表示データ出力手段を、
更に備えることを特徴とする請求項１に記載の記録再生装置。
【請求項９】
上記記録再生手段は、ユーザが嗜好するジャンルのコンテンツデータを上記記録媒体に自動記録することを特徴とする請求項１に記載の記録再生装置。
【請求項１０】
上記記録再生手段は、サービスが提供する推薦のコンテンツデータを上記記録媒体に記録することを特徴とする請求項１に記載の記録再生装置。
【請求項１１】
上記記録再生手段は、上記コンテンツデータの情報の一覧からユーザの操作入力により選択されたコンテンツデータを上記記録媒体に記録することを特徴とする請求項１に記載の記録再生装置。
【請求項１２】
上記記録再生手段は、上記コンテンツデータを圧縮形式で上記記録媒体に記録することを特徴とする請求項１に記載の記録再生装置。
【請求項１３】
上記コンテンツ年齢の加齢処理を行う時のジャンル毎の係数値は予め設定、もしくは、設定・変更できることを特徴とする請求項１に記載の記録再生装置。
【請求項１４】
記録媒体に記録したコンテンツデータについて、記録実行日時からの経過時間と、コンテンツデータのジャンルに応じて加齢処理された値としてのコンテンツ年齢を管理する管理手順と、
上記記録媒体に記録したコンテンツデータについて、上記コンテンツ年齢を参照して、上記コンテンツ年齢の高いコンテンツデータを優先して自動的に上記記録媒体からの削除を行う自動削除手順と、
を備えることを特徴とする記録管理方法。
【請求項１５】
記録再生装置のプログラムであって、
記録媒体に記録したコンテンツデータについて、記録実行日時からの経過時間と、コンテンツデータのジャンルに応じて加齢処理された値としてのコンテンツ年齢を管理する管理ステップと、
上記記録媒体に記録したコンテンツデータについて、上記コンテンツ年齢を参照して、上記コンテンツ年齢の高いコンテンツデータを優先して自動的に上記記録媒体からの削除を行う自動削除ステップと
を含むことを特徴とするコンピュータが読み取り可能なプログラムが記載されている記録媒体。
【請求項１６】
記録再生装置を制御するコンピュータに、
記録媒体に記録したコンテンツデータについて、記録実行日時からの経過時間と、コンテンツデータのジャンルに応じて加齢処理された値としてのコンテンツ年齢を管理する管理ステップと、
上記記録媒体に記録したコンテンツデータについて、上記コンテンツ年齢を参照して、上記コンテンツ年齢の高いコンテンツデータを優先して自動的に上記記録媒体からの削除を行う自動削除ステップと
を実行させることを特徴とするプログラム。
【請求項１７】
入力されたコンテンツデータを記録媒体に記録し、また記録媒体からコンテンツデータを再生することのできる記録再生手段と、
上記記録媒体に記録したコンテンツデータのうちで、上限値以内で１又は複数のコンテンツデータについて削除禁止とする管理を行うことができるコンテンツ状態管理手段と、
上記記録媒体に記録したコンテンツデータについて、上記コンテンツ状態管理手段において削除禁止として管理されているコンテンツデータを除いて、自動的に上記記録媒体からのコンテンツデータの削除を行う自動削除制御手段と、
を備えたことを特徴とする記録再生装置。
【請求項１８】
上記上限値は、上記記録媒体の容量の所定割合の容量値として設定されることで、削除禁止管理される１又は複数のコンテンツデータの総容量が上記所定割合の容量値以内とされることを特徴とする請求項１７に記載の記録再生装置。
【請求項１９】
上記コンテンツ状態管理手段は、上記記録媒体に記録したコンテンツデータのうちで、或るコンテンツデータについて削除禁止を指示する操作入力がなされた場合に、当該コンテンツデータを削除禁止とすることで上記上限値を越えるか否かを判断し、上限値を超えないと判断した場合に、当該コンテンツデータを削除禁止として管理することを特徴とする請求項１７に記載の記録再生装置。
【請求項２０】
記録媒体に記録したコンテンツデータのうちで、上限値以内で１又は複数のコンテンツデータについて削除禁止とする管理を行う管理手順と、
上記記録媒体に記録したコンテンツデータについて、上記削除禁止として管理されているコンテンツデータを除いて、自動的に上記記録媒体からのコンテンツデータの削除を行う自動削除手順と、
を備えることを特徴とする記録管理方法。
【請求項２１】
記録再生装置のプログラムであって、
記録媒体に記録したコンテンツデータのうちで、上限値以内で１又は複数のコンテンツデータについて削除禁止とする管理を行う管理ステップと、
上記記録媒体に記録したコンテンツデータについて、上記削除禁止として管理されているコンテンツデータを除いて、自動的に上記記録媒体からのコンテンツデータの削除を行う自動削除ステップと
を含むことを特徴とするコンピュータが読み取り可能なプログラムが記載されている記録媒体。
【請求項２２】
記録再生装置を制御するコンピュータに、
記録媒体に記録したコンテンツデータのうちで、上限値以内で１又は複数のコンテンツデータについて削除禁止とする管理を行う管理ステップと、
上記記録媒体に記録したコンテンツデータについて、上記削除禁止として管理されているコンテンツデータを除いて、自動的に上記記録媒体からのコンテンツデータの削除を行う自動削除ステップと
を実行させることを特徴とするプログラム。
【手続補正３】
【補正対象書類名】明細書
【補正対象項目名】０００１
【補正方法】変更
【補正の内容】
【０００１】
【発明の属する技術分野】
本発明は、映像、音声、テキストなどの各種データによるマルチメディアコンテンツを記録再生する記録再生装置、及び記録したマルチメディアコンテンツについての記録管理方法、記録媒体、並びにプログラムに関するものである。


【手続補正４】
【補正対象書類名】明細書
【補正対象項目名】００２７
【補正方法】変更
【補正の内容】
【００２７】
ＣＰＵ８１は、記録再生装置１１の全体の動作を制御するメインコントローラであり、オペレーティングシステム（OS）により提供されるプラットフォーム上で各種のアプリケーションを実行する。
このＣＰＵ８１は、例えば、リモートコマンダ９１およびユーザインターフェース制御部７６を介して入力された操作信号に基づいて、放送受信及び出力、コンテンツの録画／再生、ＥＰＧデータを用いた放送番組管理、ＨＤＤ８５に記録したコンテンツ管理、グラフィック処理コントローラ７８による画面表示データの生成などのための所要の制御を実行する。


【手続補正５】
【補正対象書類名】明細書
【補正対象項目名】００３７
【補正方法】変更
【補正の内容】
【００３７】
録画処理部４５の機能によってＨＤＤ８５に録画されていくコンテンツは、ＨＤＤ８５において蓄積映像データベース５０のデータファイルとして記録されていく。
即ち蓄積映像データベース５０は、録画処理部４５により録画された各コンテンツを図４のように蓄積する。この蓄積映像データベース５０に蓄積される映像データは、例えば、放送チャンネル、放送日時（録画日時）、あるいは、ＥＰＧデータより取得されるコンテンツＩＤなどと関連付けられて、ＭＰＥＧ２（Moving Picture Experts Group2 ）圧縮形式で記録される。


【手続補正６】
【補正対象書類名】明細書
【補正対象項目名】００６５
【補正方法】変更
【補正の内容】
【００６５】
録画処理部４５が、このように必要に応じて自動削除を行うことで、常に録画は実行可能となる。
そして録画の実行に必要な記録域を常に確保することが可能になることで、システムが推薦する番組やネットワークに接続したサービスが推薦する番組を常に自動的に録画することも可能になる。
また、ユーザが削除禁止としたコンテンツは自動削除の対象から除外されるため、ユーザーの意にそぐわない削除が行われることはない。
また後述するが、削除禁止管理できるコンテンツには上限が設けられるため、自動削除できるコンテンツがなく、録画のための容量確保ができないといった事態も生じない。
また、自動削除は、上記図６の処理で加齢されていくコンテンツ年齢の高いものから行われていく。上述の通り、コンテンツ年齢は記録日時からの経過時間とジャンルに応じて加齢されるものであるため、比較的保存の重要性の低いものから自動削除されることになり、適切に自動削除されるコンテンツが選択されることになる。
もちろん加齢アルゴリズムの調節により、よりユーザーの意図に近い自動削除に近づけることが可能である。